【事件の表示】
　特許第３２９７３４０号「紙製品」の請求項１ないし５に係る特許に対する特許異議の申立てについて、次のとおり決定する。
【結　論】
　特許第３２９７３４０号の請求項１ないし５に係る特許を維持する。
【理　由】
Ｉ．本件発明
　本件特許第３２９７３４０号は、平成９年２月１３日に出願（特願平９−２８８６９号）され、平成１４年４月１２日にその特許権の設定登録がなされたものであって、その請求項１〜５に係る発明（以下、請求項ｍに係る発明を「本件発明ｍ」という。）は、特許明細書の記載からみて、その特許請求の範囲の請求項１〜５に記載された次のとおりのものである。
「【請求項１】　原紙に、炭化水素類、植物油、ロウ類、高級アルコール類のうち一種以上の油類物質と、水溶性ワックスとを含み、
更に、脂肪酸類として、脂肪酸、脂肪酸塩、グリセリン脂肪酸エステルのうち一種以上を含み、
前記脂肪酸はステアリン酸、パルチミン酸、ミリスチン酸、ラウリン酸を含み、前記脂肪酸塩は上記脂肪酸のナトリウム、カリウム、トリエタノールアミン、ジエタノールアミン、モノエタノールアミンの各塩類を含み、前記グリセリン脂肪酸エステルは上記脂肪酸のグリセリンモノ脂肪酸エステルまたはジグリセリン脂肪酸エステルを含むことを特徴とする紙製品。
【請求項２】　請求項１記載の紙製品において、
炭化水素類は流動パラフィン、スクワランを含み、植物油はオリーブ油、ツバキ油、ヒマシ油、大豆油を含み、ロウ類はミツロウ、カルナバロウ、ラノリンを含み、高級アルコール類はセタノール、ステアリルアルコール、オレイルアルコールを含むと共に、
　水溶性ワックスは平均分子量１０００以上で２００００以下のポリエチレングリコールであることを特徴とする紙製品。
【請求項３】　請求項１または２記載の紙製品において、
　更に保湿剤として、グリセリン、ジグリセリン、平均分子量２００以上１０００未満のポリエチレングリコール、ソルビット、プロピレングリコール、１，３−ブチレングリコール、グリシンベタイン、ピロリドンカルボン酸、ピロリドンカルボン酸塩、マルチトール、乳酸ナトリウムのうち一種以上を含むことを特徴とする紙製品。
【請求項４】　請求項１，２または３記載の紙製品において、
更にシリコーン類として、アミノ変性、エポキシ変性、カルボキシル変性、ポリエーテル変性の変性シリコーンオイル、またはジメチルポリシロキサンのうち一種以上を含むことを特徴とする紙製品。
【請求項５】　請求項１，２，３または４記載の紙製品において、
更に界面活性剤として、非イオン系界面活性剤、両性界面活性剤、アニオン系界面活性剤のうち一種以上を含むことを特徴とする紙製品。」
ＩＩ．申立ての理由の概要
　特許異議申立人勝野智子（以下、「申立人」という。）は、甲第１号証（特開平７−８２６６２号公報）、甲第２号証（特開平７−１８９１７１号公報）、甲第３号証（特開平５−１５６５９６号公報）及び甲第４号証（特開平２−２２４６２６２号公報）を提出し、
（１）本件発明１〜３は、甲第１号証に記載された発明であるから、請求項１〜３に係る特許は、特許法第２９条第１項第３号の規定に違反してされたものである、
（２−１）本件発明１〜３、５は、甲第１号証〜甲第３号証に基づいて、当業者が容易に発明をすることができたものであるから、請求項１〜３、５に係る特許は、特許法第２９条第２項の規定に違反してされたものである、
（２−２）本件発明４、５は、甲第１号証〜甲第４号証に基づいて、当業者が容易に発明をすることができたものであるから、請求項４、５に係る特許は特許法第２９条第２項の規定に違反してされたものである、旨主張する。
ＩＩＩ．甲各号証の記載内容
ａ．甲第１号証
ａ−１．「【請求項１】　水溶性多価アルコール２０．０〜９０．０重量％、流動パラフィン又は／および高級アルコール、スクワレン、ラノリン、オリーブ油、ミリスチン酸エチル、蜜蝋の１種又は２種以上の配合物を１．０〜１５．０重量％、非イオン界面活性剤又は／およびアニオン界面活性剤を０．１〜５．０重量％を配合することを特徴とする柔軟性を有する繊維ウェブ及びその製造法。
【請求項２】　使用する繊維ウェブは、抄造後の乾燥状態において請求項１に示した繊維ウェブ処理用組成物に水分を加えることなく、組成物をそのまま繊維ウェブに１０．０〜６０．０重量％加工してなることを特徴とする柔軟性を有する繊維ウェブ及びその製造法。
【請求項３】　請求項１に示した繊維ウェブ処理用組成物にパラオキシ安息香酸アルキルエステル（アルキル基はＣ１〜Ｃ４）および／又は塩化ベンザルコニウムを繊維ウェブに対し０．０５〜１．０重量％添加してなる柔軟性を有する繊維ウェブ及びその製造法。」（特許請求の範囲請求項１〜３）
ａ−２．「本発明は、紙ならびに不織布などの繊維ウェブに柔軟性及び保湿性を与える水溶性多価アルコール、糖類、流動パラフィン、高級アルコール、スクワレン、スクワラン、ラノリン、オリーブ油、脂肪酸エステルおよび界面活性剤などの配合組成物を加工に際し、特に水を使用しないで乾燥状態の繊維ウェブにロールコートなどにより直接処理する製造法に関する。」（段落【０００１】）
ａ−３．「本発明に使用する水溶性多価アルコール類は、分子量１５０〜８０００を有するポリエチレングリコール、分子量１５０〜７０００のポリプロピレングリコールこの他、ブルロニック型であるコポリマー多価アルコール類が主に使用される。これらポリアルキレングリコール類の主な目的は、皮膚えの柔軟性と保湿性および栄養源とすることが大きな役割を果たすものである。」（段落【００１０】）
ａ−４．「水溶性多価アルコール類としてはエチレングリコール、ジエチレングリコール、トリエチレングリコール、プロピレングリコール、１，３?ブチレングリコール、１，４?ブチレングリコール、グリセリン、ジグリセリン、トリグリセリン、テトラグリセリンなどがあげられる。また、この他に蔗糖、グルコース、フラクトース、キシリトール、ソルビトール、マンニット、エリスリトール、澱粉分解糖還元アルコールなどがある。
　これらは一種または二種以上配合することができる。」（段落【００１４】〜【００１５】）
ａ−５．「また界面活性剤としては非イオン界面活性剤、アニオン界面活性剤で浸透性あるいは乳化分散補助剤として使用する。・・・・その他エステル型としてはポリエチレングリコール脂肪酸エステル、グリセリン脂肪酸エステル、ポリグリセリン脂肪酸エステル、ショ糖脂肪酸エステルなどのほか含窒素型のものもある。
アニオン界面活性剤としては、例えばオレイン酸ナトリウム塩、ステアリン酸ナトリウム塩、パルミチン酸カリウム塩、ステアリン酸トリエタノールアミン塩そのほか各種高級脂肪酸トリエタノールアミン塩などが使用される。この界面活性剤は一種または二種以上組み合わせて使用することができる。」（段落【００１６】〜【００２０】）
ａ−６．「鉱物油としては、低粘度流動パラフィン又は高粘度流動パラフィンおよびこれらの適宜配合品並びにスクワレン、スクワラン、ラノリン、オリーブ油、ミリスチン酸エチル、蜜蝋及び脂肪属高級アルコールを平滑剤、保湿剤として使用することができるが、これらは何れも化粧品原料基準に収載されている成分を使用することが好ましい。これらの、処方成分の配合量は１．０〜１５．０％である。これら非水溶性組成物を使用する場合は界面活性剤を併用することが好ましい。」（段落【００２１】）
ａ−７．繊維ウエブ加工剤処方例１〜８には、使用薬剤として、化合物Ａ〜化合物Ｉを合計で１００重量％となるように組み合わせたものが示され、化合物Ａ：ポリエチレングリコール（三洋化成工業（株）製品ＰＥＧ３００）、化合物Ｂ：ポリエチレングリコール（三洋化成工業（株）製品ＰＥＧ６００）であったこと（段落【００３１】〜【００３２】）
ｂ．甲第２号証
ｂ−１．「下記成分（Ａ），（Ｂ）及び（Ｃ）
（Ａ）炭素数１０〜２４のアルキル基、アルケニル基又はβ−ヒドロキシアルキル基を分子内に１個又は２個有する第４級アンモニウム塩
（Ｂ）炭素数８〜２４の直鎖の飽和もしくは不飽和脂肪酸又はその塩
（Ｃ）炭素数１０〜２４の脂肪酸とペンタエリスリトールとのエステル化物
を含有し、且つ (Ｂ)／(Ａ)重量比が０．０００１〜０．４、 (Ｃ)／(Ａ)重量比が０．０１　〜０．５、（Ａ），（Ｂ）及び（Ｃ）成分の合計が３〜２５重量％である水性分散液からなる紙用柔軟剤。」（特許請求の範囲請求項１）
ｂ−２．「本発明は、トイレットペーパー、ちり紙、フェイシャルティッシュ、京花紙、ペーパーナプキン、ペーパータオル、ワイパー、生理用紙、おむつ用紙等のような衛生薄葉紙に柔軟性や弾力性（ふっくら感）を付与する紙用柔軟剤に関する。」（段落【０００１】）
ｂ−３．「本発明者らは上記課題を解決すべく鋭意研究した結果、炭素数１０〜２４のアルキル基等を分子内に１又は２個有する第４級アンモニウム塩、炭素数８〜２４の脂肪酸又はその塩及びペンタエリスリトールのエステル化物を特定の割合で含有する柔軟剤が、紙に柔軟性のみならず弾力性をも付与できることを見出し、本発明を完成するに至った。（段落【０００６】）
ｂ−４．「本発明に用いられる炭素数８〜２４の直鎖の飽和もしくは不飽和脂肪酸又はその塩（Ｂ）を例示すると、カプリル酸、カプリン酸、ラウリン酸、ミリスチン酸、パルミチン酸、ステアリン酸、オレイン酸、エライジン酸、リノール酸、アラキン酸、ベヘン酸、エルカ酸、リグリセリン酸、パーム脂肪酸、菜種脂肪酸、牛脂脂肪酸、ラード脂肪酸、硬化パーム脂肪酸、硬化菜種脂肪酸、硬化牛脂脂肪酸、硬化ラード脂肪酸、及びそのナトリウム塩、カリウム塩、アンモニウム塩、アルカノールアミン塩等が挙げられる。」（段落【００１６】）
ｃ．甲第３号証
ｃ−１．「　吸湿性を有する塩類，多価アルコール及び糖類のうちの少なくとも一種、または、吸湿性を有する塩類，多価アルコール及び糖類のうちの少なくとも一種及び保水性を有する糊料を、繊維ウェブに対し１．０〜３００重量％含んでなることを特徴とする高水分含有性を有する繊維ウェブ。」（特許請求の範囲請求項１）
ｃ−２．「本発明は、高水分含有性を有する紙，不織布等の繊維ウェブ及びその製造方法に関し、特に、安全性が高く、柔軟で肌触りに優れ、かつウェブ屑発生の少ない、食品用，衛生用，家庭用の用途に好適な高水分含有性を有する繊維ウェブ及びその製造方法に関する。」（段落【０００１】）
ｃ−３．「また、吸湿性を有する多価アルコール及び糖類としては、グリセリン，Ｄ−ソルビット，マルチトール，還元麦芽糖水飴，還元澱粉加水分解物等が挙げられる。」（段落【００１４】）
ｃ−４．「また、本発明の繊維ウェブにおいては、上記の吸湿・柔軟性等付与剤のほかに、必要に応じて、流動パラフィン，スクワラン等の炭化水素類、オリーブ油，ツバキ油，ヒマシ油，大豆油等の植物油、ミツロウ，カルナウバロウ，ラノリン等のロウ類、及びセタノール，ステアリルアルコール，オレイルアルコール等の高級アルコール類を平滑感、手触り感の向上のために含有することができる。この油類の含有量は、余り少な過ぎても含有効果が生じず、逆に余り多過ぎても肌触り感が減じるため、本発明の繊維ウェブでは、このウェブの重量に対して、０．１〜３０重量％とすることが好ましい。
　そして、これらの油類と上記の吸湿・柔軟性等付与剤、あるいは後述する他の配合剤との混合状態を均一にするためと、疎水性物質の含有により生じるであろう吸水性の低下を補うために、ショ糖脂肪酸エステル，ソルビタン脂肪酸エステル，グリセリン脂肪酸エステル，ポリオキシエチレンラノリンアルコールエーテル，ポリオキシエチレンアルキルエーテル，ポリオキシエチレン脂肪酸エステル等の非イオン系界面活性剤、脂肪酸塩、アルキルベンゼンスルホン酸塩、ポリオキシエチレンアルキルエーテル硫酸塩等の陰イオン系界面活性剤等の界面活性剤を、必要に応じて、適量配合することができる。」（段落【００１８】〜【００１９】）
ｄ．甲第４号証
ｄ−１．「【請求項１】　約１０〜約６５ｇ／ｍ２の坪量及び約０．６ｇ／ｍ２以下の密度を有するティッシュペーパーであって、
上記ペーパーがセルロース繊維及び少量のポリシリキサン物質を含み、このポリシリキサンの量が上記ティッシュペーパーの乾燥繊維重量に対して少なくとも約０．００４％のポリシリキサンであることを特徴とするティッシュペーパー。
【請求項４】　ポリシリキサンがアミノ、カルボキシル、ヒドロキシル、エーテル、ポリエーテル、アルデヒド、ケトン、アミド、エステル及びチオール基からなる群より選択される水素結合官能基を有するポリジメチルポリシロキサンであって、上記水素結合官能基が約２０％以下の置換モルパーセンテージで存在する、請求項１に記載のティッシュペーパー。」特許請求の範囲請求項１、４）
ＩＶ．対比・判断
１．申立人の主張（１）について
１−１．本件発明１について
　処理用組成物で加工した、甲第１号証の柔軟性を有する繊維ウェブにおいて、使用する処理用組成物の成分は、（イ）「水溶性多価アルコール」、（ロ）「流動パラフィン又は／および高級アルコール、スクワレン、ラノリン、オリーブ油、ミリスチン酸エチル、蜜蝋の１種又は２種以上の配合物」及び（ハ）「非イオン界面活性剤又は／およびアニオン界面活性剤」の３成分が規定されているが、（イ）「水溶性多価アルコール類」の例としては、「分子量１５０〜８０００を有するポリエチレングリコール、分子量１５０〜７０００のポリプロピレングリコールこの他、ブルロニック型であるコポリマー多価アルコール類、エチレングリコール、ジエチレングリコール、トリエチレングリコール、プロピレングリコール、１，３−ブチレングリコール、１，４−ブチレングリコール、グリセリン、ジグリセリン、トリグリセリン、テトラグリセリン、蔗糖、グルコース、フラクトース、キシリトール、ソルビトール、マンニット、エリスリトール、澱粉分解糖還元アルコール」（段落００１０、００１４〜００１５）、また、（ハ）「非イオン界面活性剤又は／およびアニオン界面活性剤」の例としては、「非イオン界面活性剤は、エーテル型は、アルキルおよびアルキル・アリルポリオキシエチレンエーテル、ポリオキシエチレン・ポリオキシプロピレン・アルキルエーテル、ポリオシキシエチレン・ポリオキシプロピレンブロックポリマー、エーテルエステル型は、グリセリン脂肪酸エステル・ポリオキシエチレンエーテル、ソリビタン脂肪酸エステル・ポリオキシエチレンエーテル、ソルビトール脂肪酸エステル・ポリオキシエチレンエーテル、その他エステル型は、ポリエチレングリコール脂肪酸エステル、グリセリン脂肪酸エステル、ポリグリセリン脂肪酸エステル、ショ糖脂肪酸エステルなどのほか含窒素型のもの、アニオン界面活性剤は、オレイン酸ナトリウム塩、ステアリン酸ナトリウム塩、パルミチン酸カリウム塩、ステアリン酸トリエタノールアミン塩そのほか各種高級脂肪酸トリエタノールアミン塩」（段落００１７〜００２０）が例示されている。
　そして、甲第１号証には、処理用組成物の成分である（イ）〜（ハ）の成分として、多数列記された例示化合物の中から、（イ）として「平均分子量１０００以上で２０００以下のポリエチレングリコール」を、（ロ）として「流動パラフィン又は／および高級アルコール、スクワレン、ラノリン、オリーブ油または蜜蝋の１種又は２種以上」を、そして（ハ）として「ステアリン酸ナトリウム塩、パルミチン酸カリウム塩またはステアリン酸トリエタノールアミン塩」を選定した、具体的な処理用組成物は記載されていないし、そのような成分を選択することを具体的に示唆する記載も見いだせない。
　申立人は、本件請求項１に係る発明の紙製品に含有される成分である「（ｉ）油類物質、（ｉｉ）水性ワックス及び（ｉｉｉ）脂肪酸類」に対して、甲第１号証に記載された繊維ウェブ処理用組成物の成分である、（ロ）「流動パラフィン又は／および高級アルコール、スクワレン、ラノリン、オリーブ油、ミリスチン酸エチル、蜜蝋の１種又は２種以上の配合物」、（イ）「水溶性多価アルコール」及び（ハ）「非イオン界面活性剤又は／およびアニオン界面活性剤」をそれぞれ対応させて、成分（イ）〜（ハ）の例示化合物が、本件請求項１に係る発明の紙製品に含有する成分である「（ｉ）油類物質、（ｉｉ）水性ワックス及び（ｉｉｉ）脂肪酸類」に該当するから、両者は同一発明である旨主張する。
　しかしながら、甲第１号証には、水性ワックス、すなわち、融点３０℃以上で常温で固体を呈する平均分子量１０００以上で２００００以下のポリエチレングリコールを固形物質として使用することを具体的に開示するところがない。そして、甲第１号証の処理用組成物は、その成分（イ）〜（ハ）として、多数列記された例示化合物の中から上記した特定の化合物を選定した場合に限って、本件請求項１に係る発明における「（ｉ）油類物質、（ｉｉ）水性ワックス及び（ｉｉｉ）脂肪酸類」の要件を満足するにすぎないものであり、甲第１号証に、そのような特定の化合物からなる処理用組成物が記載されていたとは認めることはできないので、申立人の主張は採用することはできない。
１−２．本件発明２、３について
　本件発明２、３についての申立人の主張は、本件発明１と同様のものであって、本件発明３で特定される「保湿剤」としての化合物は、甲第１号証の水溶性多価アルコールとして例示されている、というものであるから、「１−１．本件発明１について」で述べた理由と同様の理由により、申立人の主張は採用することはできない。
（２）申立人の主張（２−１）、（２−２）について
２−１．本件発明１〜３、５について
　申立人は、甲第１号証に記載された発明における処理用組成物の（ハ）「非イオン界面活性剤又は／およびアニオン界面活性剤」として例示される化合物の他、甲第２号証には、紙用柔軟剤として、炭素数８〜２４の直鎖の飽和もしくは不飽和脂肪酸又はその塩、そして、甲第３号証には、グリセリン脂肪酸エステル等が記載されているから、甲第１号証における（ハ）成分の具体的化合物として、本件請求項１に係る発明で規定している脂肪酸類のものに特定すること、また、これら甲第２号証〜甲第３号証により公知の成分を甲第１号証に記載された発明において適用することは、当業者が容易になし得たことである旨主張する。
　しかしながら、甲第１号証は、処理用組成物の（イ）成分として、水性ワックス、すなわち、平均分子量１０００以上で２００００以下のポリエチレングリコール（融点３０℃以上で常温で固体を呈する）を固形物質として使用することを具体的に開示していない。そして、処理用組成物の（イ）成分として、平均分子量１０００以上で２００００以下のポリエチレングリコールを選定した上で、処理用組成物の（ハ）の成分として、本件請求項１に係る発明で規定している脂肪酸類のものを特定すること、また、それらの成分に加えて、保湿剤や界面活性剤などを更に成分として選定することを示唆する記載はないから、申立人の主張は、採用することができない。
２−２．本件発明４、５について
　申立人は、本件発明４、５で特定される各成分としての化合物は、甲第２号証〜甲第４号証に記載されているように公知の成分であるから、これら公知の成分を甲第１号証に記載された発明において適用することは、当業者が容易になし得たことである旨主張するが、甲第１号証には、処理用組成物の（イ）成分として、平均分子量１０００以上で２００００以下のポリエチレングリコールを選定した上で、処理用組成物の（ハ）の成分として、本件請求項１に係る発明で規定している脂肪酸類のものを特定すること、そして、それらの成分に加えて、シリコーン類や界面活性剤などを更に成分として選定することを示唆する記載はないから、申立人の主張は採用することはできない。
Ｖ．むすび
　したがって、特許異議申立ての理由及び証拠によっては、請求項１〜５に係る特許を取り消すことはできない。
　また、他に請求項１〜５に係る特許を取り消すべき理由を発見しない。
　よって、結論のとおり決定する。
【異議決定日】
平成１６年７月２３日（２００４．７．２３）